(57)【要約】【課題】使用するモードの違いや撮影者が好みとする設定に応じて、消費電力量に変化が生じても、取り出し可能な電力としての撮影可能枚数の計数及び表示を精度よく行うことができる電子撮像装置を提供する。【解決手段】電子撮像装置において、カメラ制御マイコン１０は、使用モードと付加機能の設定値の一部を変更すると、電流積算演算手段２１で演算され、記憶手段１２に記憶した積算消費電流値に基づいて撮影可能枚数を演算したのち、演算した結果を基に撮影可能枚数を更新する。そしてそれを表示手段３０に表示させる制御を行う。【選択図】図１
2008187234.tif 000002
【特許請求の範囲】
【請求項１】
電池から供給される電流を計測し、消費に要した時間と計測した電流から積算消費電流値を演算する電流積算演算手段と、
撮影動作に関する付加機能のオン／オフを設定する設定手段と、
前記付加機能をオンした場合および前記付加機能をオフした場合に前記電流積算演算手段より得られる前記積算消費電流値をそれぞれ記憶する記憶手段と、
前記付加機能の設定状態に対応する前記積算消費電流値に基づいて撮影可能枚数を演算する演算手段と、
を備えることを特徴とする撮像装置。
【請求項２】
直前に撮影した画像を表示するレビュー表示の表示時間を設定する設定手段を有し、前記記憶手段は前記レビュー表示の単位時間あたりの消費電流値を記憶するとともに、前記演算手段は、前記設定手段によって設定された前記レビュー表示の表示時間と前記記憶手段に記憶される前記レビュー表示の単位時間あたりの消費電流値から前記レビュー表示時間の設定状態に対応する積算消費電流値を演算し、前記積算消費電流値を加算して撮影可能枚数を演算することを特徴とする請求項１に記載の撮像装置。
【請求項３】
スイッチ操作待機時間を設定する設定手段を有し、前記記憶手段は前記スイッチ操作待機の単位時間あたりの消費電流値を記憶するとともに、前記演算手段は、前記設定手段によって設定された前記スイッチ操作待機時間と前記記憶手段に記憶される前記スイッチ操作待機の単位時間あたりの消費電流値から前記スイッチ操作待機時間の設定状態に対応する積算消費電流値を演算し、前記積算消費電流値を加算して撮影可能枚数を演算することを特徴とする請求項１または２に記載の撮像装置。
【請求項４】
前記付加機能の設定状態に対応する前記積算消費電流値および前記演算手段によって演算された撮影可能枚数を表示する表示手段とを有することを特徴とする請求項１ないし３のいずれかに記載の撮像装置。
【請求項５】
前記付加機能は、手ぶれ防止機能またはオートフォーカス機能を含むことを特徴とする請求項１ないし４のいずれかに記載の撮像装置。
【発明の詳細な説明】
【技術分野】
【０００１】
本発明は、デジタル一眼レフカメラなど電池を電源とする電子撮像装置に関するものである。
【背景技術】
【０００２】
従来、電子撮像装置の電池残量表示装置として、以下のものが提案されている。即ち、電池からダミー抵抗を回路接続し、この抵抗に電流を流した時の電圧を計測し、カメラ内記憶値とバッテリ残量表示用テーブルを参照し、この電圧に相対するバッテリ残量を表示する電池残量表示装置が提案されている。
【０００３】
特許文献１には、複数の付加機能と電池温度と電池の電圧降下をサブテーブルとして有しており、電池温度と現在の電池残量レベルに基づいて補正値を求め、この補正値を、測定された電池電圧に加算して補正する電池残量判定装置が開示されている。この電池残量判定装置により、電池残量の検出制度を向上させることができる。
【０００４】
電子撮像装置の電池の交換時期の表示装置としては、使用電池の撮影可能回数を記憶しておき、一方電池交換後の撮影回数を積算係数し、撮影ごとに両者を比較しその差が一定値以下になると電池の交換時期を表示するカメラが提案されている。
【０００５】
特許文献２では、ストロボ不使用時の撮影１回あたりの消費電力を単位とする撮影回数を記憶し、電池の容量をこの撮影時の消費電力のＮ倍で表す。また、ストロボ使用時の撮影１回あたりの消費電力をストロボ不使用時のＮ倍と記憶する。撮影モードがストロボ不使用時であれば、１回撮影ごとに、Ｎ−１に書き換え記憶する。撮影モードがストロボ使用時であれば１回撮影ごとにＮ−Ｎに書き換え記憶する。このようにして、複数の撮影モードで撮影可能回数及び電池残量を表示するカメラが提案されている。
【特許文献１】特開２００１−１２６７７８号公報
【特許文献２】特公平５−２５１０２号公報
【発明の開示】
【発明が解決しようとする課題】
【０００６】
上記特許文献１の電池残量判定では、電池電圧を計測するが、しかし撮影に消費した電流及び消費した電力を考慮していないため、電池の消費した電力及び取り出し可能な電力としての撮影可能枚数を計測及び表示することができない。
【０００７】
上記特許文献２の電池残量判定では、撮影モードに応じた撮影回数を表示するが、撮影に消費した電流の積算値を考慮していない。そのため、撮影１回あたりの消費電力が異なる場合、例えば装着される交換式レンズなどを交換し撮影時に要する消費電力が変動する場合には、電池の取り出し可能な電力と表示する撮影可能回数とにずれが生じる。このずれにより、撮影可能枚数の計数を精度よく行えないという問題がある。
【０００８】
本発明の目的は、使用するモードの違いや撮影者が好みとする設定状況に応じて、消費電力量に変化が生じても、取り出し可能な電力としての撮影可能枚数の計数及び表示を精度よく行うことができる電子撮像装置を提供することにある。
【課題を解決するための手段】
【０００９】
上記目的を達成するために、  付加機能をオン／オフして動作させることができる撮像装置であって、電池から供給される電流を計測し、消費に要した時間と計測した電流から積算消費電流値を演算する電流積算演算手段と、前記付加機能のオン／オフを設定する設定手段と、前記付加機能をオンした場合および前記付加機能をオフした場合に前記電流積算演算手段より得られる前記積算消費電流値をそれぞれ記憶する記憶手段と、前記付加機能の設定状態に対応する前記積算消費電流値に基づいて撮影可能枚数を演算する演算手段と、を備えることを特徴とする。
【発明の効果】
【００１０】
撮像装置の付加機能がオン／オフに応じて、消費電力量に変化が生じても、取り出し可能な電力としての撮影可能枚数の計数及び表示を精度よく行うことができる。
【発明を実施するための最良の形態】
【００１１】
以下、本発明の実施の形態を図面を参照しながら詳細に説明する。
【００１２】
図１は、本発明の実施の形態に係る電子撮像装置（デジタル一眼レフカメラ）のシステム構成を示すブロック図である。
【００１３】
図１において、デジタル一眼レフカメラは、カメラ制御マイコン１０を中心として、以下に述べる構成要素を有する。
【００１４】
カメラ制御マイコン１０は、デジタル一眼レフカメラの制御を司るものであり、例えばＣＰＵ、ＲＯＭ、ＲＡＭ等により構成される。タイマ１１は、カメラ制御マイコン１０に内蔵され、カメラの時間制御にかかる時間を計時する。
【００１５】
記憶手段１２は、カメラ制御マイコン１０に接続され、カメラの設定情報を各種記憶する。電池２０は、カメラ各部へ電源供給する電源である。電流積算演算手段２１は、カメラの回路に接続して電池２０から供給される電流を計測し、消費に要した時間と電流から積算消費電流を算出する。
【００１６】
電流積算演算手段２１は、総容量［ｍＡｈ］、残容量［ｍＡｈ］、電池電圧［ｖ］、電池電流［ｍＡ］など電池にかかるデータをカメラ制御マイコン１０へ伝達する。
【００１７】
表示手段３０は、ＴＦＴ制御回路、ＴＦＴモニタ、ＴＦＴバックライト及び画像表示メモリ等により構成される。
【００１８】
カメラ制御マイコン１０には、メニュースイッチ４０、モードスイッチ４１、撮影スイッチ４２、メインスイッチ４３が接続されている。メインスイッチ４３がオンしていると、カメラが起動状態となる。
【００１９】
カメラ制御マイコン１０は、レンズ接続インターフェースを経由してレンズ制御マイコン５０とのデータ通信を行う。そして、カメラ制御マイコン１０とレンズ制御マイコン５０との間で、例えば、レンズ絞り制御データ、ズーム制御情報、レンズ駆動量制御情報といった各種レンズ制御データを受け渡す。
【００２０】
ＩＳスイッチ５１は、レンズ制御マイコン５０に接続されるスイッチであり、ＩＳスイッチ５１をオンすると図示しない防振制御回路を許可し、ＩＳスイッチ５１をオフすると防振制御回路を不許可とする。
【００２１】
ＡＦスイッチ５２は、レンズ制御マイコン５０に接続されるスイッチであり、ＡＦスイッチ５２をオンすると図示しないＡＦ制御回路を許可し、ＡＦスイッチ５２をオフするとＡＦ制御回路を不許可とする。
【００２２】
図２は、図１のデジタル一眼レフカメラによって実行される撮影処理の手順を示すフローチャートである。
【００２３】
本処理は、図１におけるカメラ制御マイコン１０とレンズ制御マイコン５０によって実行される。
【００２４】
図２において、ステップＳ１０１では、スイッチ待機状態である。ステップＳ１０２では、メニュースイッチ４０が押されたか否かを判別し、撮影者がメニュースイッチ４０をオンすると、ステップＳ１０３へ移行し、メニュースイッチ４０が押されていなければステップＳ１０５へ移行する。
【００２５】
ステップＳ１０３では、表示手段３０へメニュー情報を表示するメニューモードに遷移する。メニュー情報には、撮影条件の設定に係る複数のメニューが含まれる。例えば、露出モード（マニュアル・オート（プログラム撮影）・絞り優先・シャッター速度優先等）やフォーカスモード（オートフォーカス・マニュアルフォーカス等）、あるいはドライブモード（単写・連写）等が含まれ、これらを選択することができる。
【００２６】
さらに、電池残量にかかる複数の情報が含まれる。例えば、カメラの撮影モードか再生モードかといった使用するモードの情報、装着される交換式レンズ、装填されている撮影記録メディア、タイマの設定などの情報が含まれる。そして、これらの情報に相応するカメラの消費電力量を表示する。
【００２７】
次に、ステップＳ１０４では、撮影可能枚数表示を行う。
【００２８】
図３は、図２のステップＳ１０４で実行される撮影可能枚数表示処理の手順を示すフローチャートである。
【００２９】
ステップＳ１０４の撮影可能枚数表示ルーチンでは、撮影可能枚数を演算することにより、取り出し可能な電力としての撮影可能枚数を表示する。
【００３０】
図３において、ステップＳ２０１では、カメラ制御マイコン１０は、カメラの動作に関する設定値の初期化を行い、メニュー設定情報を記憶手段１２から読み込む。メニュー設定情報として、例えば、撮影者が設定可能なクイックレビュー（撮影後に直前に撮影した画像を表示する機能）の表示時間をＴｑｒ［ｓ］、オートパワーオフタイマＴａｐｏ［ｓ］が含まれている。また、カメラの動作に関する設定値としては、例えば、ＩＳスイッチ５１のオン／オフ状態と、ＡＦスイッチ５２のオン／オフ状態が含まれている。
【００３１】
続いて、ステップＳ２０２では、電流積算演算手段２１から、総容量Ｐｓ［ｍＡｈ］、残容量Ｐｙ［ｍＡｈ］、電池電圧Ｖｂａｔ［ｖ］、電池電流Ｉｂａｔ［ｍＡ］などの電池データを読み込む。
【００３２】
電流積算演算手段２１は、カメラの回路に接続され、電池２０から供給される電流を積算し、消費に要した時間と電流から積算消費電流を演算する。カメラ制御マイコン１０は、積算消費電流値を記憶手段１２に記憶している。
【００３３】
ステップＳ２０３では、積算消費電流値を記憶手段１２から読み込む。積算消費電流値として、以下のものが含まれる。即ち、露光動作を駆動するに要する電流積算量Ｐｒ［ｍＡｈ］、ＩＳスイッチ５１のオン状態時の電流積算量Ｐｉｓｏｎ［ｍＡｈ］、ＡＦスイッチ５２のオン状態時の電流積算量ＰＡＦｏｎ［ｍＡｈ］が含まれる。あるいは、ＩＳスイッチ５１のオフ状態時の電流積算量Ｐｉｓｏｆｆ［ｍＡｈ］、ＡＦスイッチ５２のオフ状態時の電流積算量ＰＡＦｏｆｆ［ｍＡｈ］が含まれる。また、ステップＳ２０３では、クイックレビューの単位時間あたりの消費電流Ｉｑｒ［ｍＡ］およびスイッチ待機状態の単位時間あたりの消費電流Ｉａｐｏ［ｍＡ］を記憶手段１２から読み込む。
【００３４】
例えば、ＩＳスイッチ５１がオン、ＡＦスイッチ５２がオンと設定している場合には、ＩＳスイッチ５１のオン状態時の電流積算量Ｐｉｓｏｎ［ｍＡｈ］と、ＡＦスイッチ５２のオン状態時の電流積算量ＰＡＦｏｎ［ｍＡｈ］を以後の演算に使用する。
【００３５】
また、ＩＳスイッチ５１がオフ、ＡＦスイッチ５２がオフである場合には、ＩＳスイッチ５１のオフ状態時の電流積算量Ｐｉｓｏｆｆ［ｍＡｈ］と、ＡＦスイッチ５２のオフ状態時の電流積算量ＰＡＦｏｆｆ［ｍＡｈ］を以後の演算に使用する。
【００３６】
ステップＳ２０４では、ステップＳ２０２、Ｓ２０３で得られたカメラの動作に関する設定値データ及び、記憶された積算消費電流値を基に１コマ撮影にかかる積算消費電流値Ｐｗ［ｍＡｈ］、及び撮影可能枚数Ｎ［回］を演算する。
【００３７】
例えば、ＩＳスイッチ５１がオン、ＡＦスイッチ５２がオンと設定している場合に、１コマ撮影にかかる積算消費電流値Ｐｗ［ｍＡｈ］は、以下により得られる。
【００３８】
露光動作を駆動するに要する電流積算量をＰｒ［ｍＡｈ］とする。クイックレビュー表示の電流積算量をＩｑｒ［ｍＡ］×Ｔｑｒ［ｓ］／３６００とする。スイッチ待機状態の電流積算量をＩａｐｏ［ｍＡ］×Ｔａｐｏ［ｓ］／３６００とする。ＩＳ動作時に要する電流積算量をＰｉｓｏｎ［ｍＡｈ］とする。ＡＦ動作時に要する電流積算量をＰＡＦｏｎ［ｍＡｈ］とする。このときこれらの和により、積算消費電流値Ｐｗ［ｍＡｈ］が得られる。
【００３９】
Ｐｗ［ｍＡｈ］＝Ｐｒ［ｍＡｈ］＋Ｉｑｒ［ｍＡ］×Ｔｑｒ［ｓ］／３６００
＋Ｉａｐｏ［ｍＡ］×Ｔａｐｏ［ｓ］／３６００
＋Ｐｉｓｏｎ［ｍＡｈ］＋ＰＡＦｏｎ［ｍＡｈ］
ここに撮影可能枚数Ｎ［回］は
Ｎ［回］＝Ｐｙ［ｍＡｈ］／Ｐｗ［ｍＡｈ］、
Ｐｗ［ｍＡｈ］：１コマ撮影にかかる積算消費電流値
Ｐｙ［ｍＡｈ］：残容量
で算出される。
【００４０】
ステップＳ２０５では、カメラの動作に関する設定値データ、１コマ撮影にかかる積算消費電流値Ｐｗ［ｍＡｈ］及び撮影可能枚数Ｎ［回］を表示手段３０に表示する。
【００４１】
例えば、ＩＳスイッチ５１がオン、ＡＦスイッチ５２がオンと設定している場合について、表示例を図４（ａ）に示す。
【００４２】
ここで、撮影者が設定を変えるとカメラの消費電力及び撮影可能枚数の予測値に影響が生じる。
【００４３】
ステップＳ２０６では、撮影者が不図示の電子ダイヤル、セット釦スイッチなどの操作部材を操作すると、メニュー情報の設定を変更することができる判別を行う。
【００４４】
例えば、ＩＳスイッチ５１をオフ、ＡＦスイッチ５２をオフ、クイックレビュー表示時間をＴｑｒ［ｓ］とは異なる任意の値Ｔｑｒ‘［ｓ］と設定を変更するなどが考えられる。
【００４５】
このように撮影者が設定を変える場合には、再びステップＳ２０４に戻り、再度演算を行う。撮影者が設定を変えない場合には、ステップＳ２０７へ進む。
【００４６】
１コマ撮影にかかる積算消費電流値Ｐｗ’［ｍＡｈ］は、以下により得られる。
【００４７】
露光動作を駆動するに要する電流積算量をＰｒ［ｍＡｈ］とする。クイックレビュー表示の電流積算量をＩｑｒ［ｍＡ］×Ｔｑｒ’［ｓ］／３６００とする。スイッチ待機状態の電流積算量をＩａｐｏ［ｍＡ］×Ｔａｐｏ［ｓ］／３６００とする。ＩＳ動作時に要する電流積算量をＰｉｓｏｆｆ［ｍＡｈ］とする。ＡＦ動作時に要する電流積算量をＰＡＦｏｆｆ［ｍＡｈ］とする。このときこれらの和により、積算消費電流値Ｐｗ’［ｍＡｈ］が得られる。
【００４８】
Ｐｗ’［ｍＡｈ］＝Ｐｒ［ｍＡｈ］＋Ｉｑｒ［ｍＡ］×Ｔｑｒ’［ｓ］／３６００
＋Ｉａｐｏ［ｍＡ］×Ｔａｐｏ［ｓ］／３６００
＋Ｐｉｓｏｆｆ［ｍＡｈ］＋ＰＡＦｏｆｆ［ｍＡｈ］
Ｎ’［回］＝Ｐｙ［ｍＡｈ］／Ｐｗ’［ｍＡｈ］
Ｐｗ’［ｍＡｈ］：１コマ撮影にかかる積算消費電流値
続いてステップＳ２０５では、撮影者が設定したカメラの設定値、この設定値に対応して再度算出した積算消費電流値Ｐｗ’［ｍＡｈ］及び撮影可能枚数Ｎ’［回］を表示手段３０に表示する。
【００４９】
例えば、ＩＳスイッチ５１をオフ、ＡＦスイッチ５２をオフ、ＱＲタイマをＴｑｒ［ｓ］とは異なる任意の値Ｔｑｒ‘［ｓ］と設定を変更している場合について、表示例を図４（ｂ）に示す。
【００５０】
撮影者が設定を変えない場合には、ステップＳ２０７へ進む。ステップＳ２０７にて、撮影者が設定変更したメニュー情報は記憶手段１２に格納される。撮影可能枚数の表示後、図２のフローチャートへ戻る。
【００５１】
図２において、ステップＳ１０５では、撮影者がモードスイッチ４１をオンすると、ステップＳ１０６再生モードに遷移し、モードスイッチ４１が押されていなければステップＳ１０７へ移行する。
【００５２】
ステップＳ１０６の再生モードでは、記録メディアの画像情報から再生画像データを生成する。そして、表示手段３０へ再生画像を表示する。撮影者が電子ダイヤル等を操作することで再生画像を変更することができる。
【００５３】
撮影スイッチ４２は、二段階で押下される構造となっており、カメラ制御マイコン１０に接続されるスイッチである。
【００５４】
ステップＳ１０７では、撮影者が撮影スイッチ４２の一段階目の第１スイッチＳＷ１をオンすると、ステップＳ１０８の撮影準備モードに遷移し、第１スイッチＳＷ１が押されていなければ、ステップＳ１０１の待機状態へ戻る。
【００５５】
ステップＳ１０８の撮影準備モードでは、不図示の測光回路を駆動し、被写界の輝度を測光することにより測光制御データを取得する。
【００５６】
続いて、ステップＳ１０９へ移行し、不図示の測距回路を駆動し、測距回路の出力を基に被写体の距離を演算することによりＡＦデータ（オートフォーカスデータ）を取得する。
【００５７】
ステップＳ１１０では、カメラ制御マイコン１０は、撮影スイッチ４２の二段階目の第２スイッチＳＷ２を検出すると、ステップＳ１１１へ移行し、レリーズ動作を行う。第２スイッチＳＷ２がオフされていれば、待機状態へ戻る。
【００５８】
ステップＳ１１１では、カメラ制御マイコン１０は、上述した測光制御データ及びＡＦデータに基づいて、シャッター制御量、レンズ絞り制御量を算出し、シャッター制御部の駆動を行う。さらに、レンズマイコン５０へレンズ絞り制御量、測距制御駆動量を受け渡し、レンズ絞り駆動を行う。
【００５９】
ステップＳ１１２では、撮像回路部において、シャッター及び絞りを駆動して撮像素子に届いた光を撮像素子により電気情報に変換し、画像処理の後、画像データとして記録メディアに記録する。
【００６０】
カメラが画像確認モードに設定されている場合には、ステップＳ１１３の再生画像表示へ移行する。ステップＳ１１３の再生画像表示では、カメラ制御マイコン１０は画像処理で得られた画像データに基づいて表示用データを生成し、得られた表示用データを表示手段３０に表示する。
【００６１】
ステップＳ１１４の画像確認モードにおいて、表示開始からＱＲタイマに設定された時間Ｔｑｒが経過すると、ステップＳ１１５のスイッチ待ち状態へ遷移する。Ｔｑｒが経過していなければ、ステップＳ１１３の再生画像表示へ戻る。
【００６２】
続いて、ステップＳ１１５のスイッチ待ち状態開始へ移行すると、カメラ操作系スイッチが操作されているか否かを判別する。スイッチの何れかが操作されると、ステップＳ１０１の待機状態へ戻り、スイッチに応じた処理へ遷移する。
【００６３】
ステップＳ１１６において、オートパワーオフタイマに設定された時間Ｔａｐｏが経過しても、スイッチに変化がない場合、ステップＳ１１７へ移行し、パワーオフとなり各部電源供給を停止して、本処理を終了する。
【００６４】
本実施の形態では、撮影者がカメラの使用モードと付加機能の設定値の一部を変更すると、記憶した消費電力に基づいてカメラの使用モードごとの積算電力（消費電流×消費時間の積）を合算した結果から使用済み電力を算出する。そして、電池の総容量と使用済み電力の差から、使用可能消費電力を演算し、使用可能消費電力を１コマあたりの消費電力で割り、商を撮影可能枚数として表示する。
【００６５】
カメラの撮影モード、再生モード、など使用するモードの違いや、装着される交換式レンズや、撮影記録メディアの取り替え、タイマの設定など、撮影者が好みとする設定に応じてカメラの消費電力量に変化が生じる。
【００６６】
本実施の形態では、カメラの使用に応じた電池消費量を計測し、電池消費量と付加機能の設定内容を記憶する。そして、記憶した電池消費量に基づいて、撮影可能枚数を演算することにより、取り出し可能な電力としての撮影可能枚数の計数及び表示を精度よく行う効果が得られる。
【図面の簡単な説明】
【００６７】
【図１】本発明の実施の形態に係る電子撮像装置（デジタル一眼レフカメラ）のシステム構成を示すブロック図である。
【図２】図１のデジタル一眼レフカメラによって実行される撮影処理の手順を示すフローチャートである。
【図３】図２のステップＳ１０４で実行される撮影可能枚数表示処理の手順を示すフローチャートである。
【図４】図１の表示手段に表示される表示例を示す図である。
【符号の説明】
【００６８】
１０  カメラ制御マイコン（制御手段）
１１  タイマ
１２  記憶手段
２０  電池
２１  電流積算演算手段
３０  表示手段
４０  メニュースイッチ
４１  モードスイッチ
４２  撮影スイッチ
４３  メインスイッチ
５０  レンズ制御マイコン
５１  ＩＳスイッチ
５２  ＡＦスイッチ
【図１】
2008187234.tif 000003
【図２】
2008187234.tif 000004
【図３】
2008187234.tif 000005
【図４】
2008187234.tif 000006